(57)【特許請求の範囲】
【請求項１】
両側板と背板とで形成された棚本体の内部空間内に本立と棚板を着脱自在に装着し、学習机の天板後部に載置する机上棚であって、前記本立は両側に配した両側面板間の少なくとも上部に下縁を開放した背面板を有し、棚本体の背板中央部に本立支持用の仕切板を設けることなく、本立を装着する空間に対応する前記背板と一方の側板のうち、少なくとも背板を含む内面位置に単又は複数の受具を着脱可能に突設し、前記背板に取付けた受具で前記本立の背面板下縁を嵌合係止してなることを特徴とする学習机の机上棚。
【請求項２】
前記棚本体の背板に取付ける背部受具は、前記本立の背面板の板厚と同程度の厚みを有し、上端に前記本立の背面板下縁を係止するための係止部を突設してなり、前記本立の背面板下縁には前記係止部を嵌合する嵌合溝を前縁側に形成してなる請求項１記載の学習机の机上棚。
【請求項３】
前記本立は、側部側の側面板下端を棚本体の一方の側板に取付けた側部受具に嵌合載支するとともに、中央部側の側面板の後端上下中間部に形成した嵌合凹部内に、棚本体の背板に取付けた背部受具の一部を嵌合し且つ背面板の側部にのみ形成した前記嵌合溝に前記係止部を嵌合して係止してなる請求項１又は２記載の学習机の机上棚。
【請求項４】
前記本立は、その横幅を前記棚本体の両側板間の間隔の１／２に側面板の板厚を加えた幅より大きく設定し、棚本体の背板の左右中央部又は左右中央部と一側部に取付けた背部受具の前記係止部を、前記背面板の側部にのみ形成した前記嵌合溝に嵌合して係止してなる請求項１〜３何れかに記載の学習机の机上棚。
【請求項５】
前記背部受具は、前記本立の両側面板の間隔よりも若干横幅を小さく設定した長尺部材で、棚本体の背板の一側部に取付け、前記本立は、背面板の全長に亘って形成した嵌合溝に当該背部受具の係止部を嵌合して係止してなる請求項１又は２記載の学習机の机上棚。
【発明の詳細な説明】
【０００１】
【発明の属する技術分野】
本発明は、学習机の机上棚に係わり、更に詳しくは机上棚の内部の配置を組替え可能となした学習机の机上棚に関する。
【０００２】
【従来の技術】
従来から、学習机の天板後部に載置固定する机上棚として、両側板と背板で形成された内部空間に棚板や本立を組み込んだものは各種提供され、またパーソナルコンピュータ等の電子機器の設置スペースを確保するために棚板を着脱自在となしたものも提供されている。
【０００３】
例えば、本出願人の先願に係る特公平５−１０９２４号公報には、机上棚として、両側板と背板で形成された内部空間内に、小型書棚様本立を着脱自在に取付けるとともに、対向して離間した側板と前記本立の側板間に棚板を着脱自在に架設してなる構造が開示され、また特公平５−５４８５号公報には、机上棚として、両側板と背板で形成された内部空間内に、学習机の天板との間に空間を残して本立を着脱自在に取付けた構造が開示されている。
【０００４】
前者の公報記載の机上棚は、両側板間の左右一側寄りに本立を一方の側板にネジ止めして取付け、両側板間の左右一他側寄りに棚板を他方の側板と本立間に支持具にて取付け、構造的に本立と棚板は左右の取付位置を変更可能なものであるが、本立を学習机の天板から浮かせた状態で取付ける場合、強度的に弱いといった問題があった。一方、後者の公報記載の机上棚は、机上棚の内部空間に設けた仕切板と一方の側板間の取付空間内に本立を配し、該本立を仕切板と側板に突設したネジダボに掛止し且つ背板に止め具にて背面を係止して取付け、そして仕切板と他方の側板間には小棚板を架設しているが、小棚板を取外し可能となしたことについては記載されてなく、また本立と小棚板を左右付け替えることも記載されてない。その上、本立の側面板と仕切板とが重なって外観性を損なうばかりでなく、収納空間を狭めることになっていた。
【０００５】
【発明が解決しようとする課題】
本発明が前述の状況に鑑み、解決しようとするところは、両側板と背板で形成された内部空間に本立や棚板を配設し且つ左右組替え可能となして簡単に使用形態を変更することができ、その上、中央部での仕切板を取り去ることにより板材の重なりを全く無くして、外観性の向上と収納空間の拡張を図った学習机の机上棚を提供する点にある。
【０００６】
【課題を解決するための手段】
本発明は、前述の課題解決のために、両側板と背板とで形成された棚本体の内部空間内に本立と棚板を着脱自在に装着し、学習机の天板後部に載置する机上棚であって、前記本立は両側に配した両側面板間の少なくとも上部に下縁を開放した背面板を有し、棚本体の背板中央部に本立支持用の仕切板を設けることなく、本立を装着する空間に対応する前記背板と一方の側板のうち、少なくとも背板を含む内面位置に単又は複数の受具を着脱可能に突設し、前記背板に取付けた受具で前記本立の背面板下縁を嵌合係止してなる学習机の机上棚を構成した。
【０００７】
ここで、前記棚本体の背板に取付ける背部受具は、前記本立の背面板の板厚と同程度の厚みを有し、上端に前記本立の背面板下縁を係止するための係止部を突設してなり、前記本立の背面板下縁には前記係止部を嵌合する嵌合溝を前縁側に形成してなることが好ましい実施形態である。
【０００８】
具体的には、前記本立は、側部側の側面板下端を棚本体の一方の側板に取付けた側部受具に嵌合載支するとともに、中央部側の側面板の後端上下中間部に形成した嵌合凹部内に、棚本体の背板に取付けた背部受具の一部を嵌合し且つ背面板の側部にのみ形成した前記嵌合溝に前記係止部を嵌合して係止してなるものである。
【０００９】
また、前記本立は、その横幅を前記棚本体の両側板間の間隔の１／２に側面板の板厚を加えた幅より大きく設定し、棚本体の背板の左右中央部又は左右中央部と一側部に取付けた背部受具の前記係止部を、前記背面板の側部にのみ形成した前記嵌合溝に嵌合して係止してなることも好ましい。
【００１０】
あるいは、前記背部受具は、前記本立の両側面板の間隔よりも若干横幅を小さく設定した長尺部材で、棚本体の背板の一側部に取付け、前記本立は、背面板の全長に亘って形成した嵌合溝に当該背部受具の係止部を嵌合して係止してなることも好ましい。
【００１１】
【発明の実施の形態】
次に本発明の実施形態を添付図面に基づき更に詳細に説明する。図１及び図２は本発明に係る机上棚１を学習机２の天板３の後部に載置した使用例を示し、図３及び図４は机上棚１の分解斜視図、図４は正面図をそれぞれ示している。本実施形態では前記机上棚１として上下分離型の机上棚を例示し、即ち下部棚４に上部棚５を載置し、互いに分離可能に連結した構造のものを例示しているが、本発明において棚本体の構造は、下部棚４と上部棚５が一体的なもの、あるいは下部棚４のみからなるものでも良い。ここで、図中符号６は本立、７は棚板をそれぞれ示している。
【００１２】
本発明の第１実施形態に係る机上棚１を図１〜図６に基づいて説明する。本発明に係る机上棚１は、前述のように下部棚４と上部棚５とを連結、分離が可能なものである。また、前記下部棚４を机天板３に載置して固定する手段としては、従来と同様に止金具を用いて行うなど、適宜な固定手段を採用し得る。
【００１３】
前記下部棚４は、両側板８，８の後部間に背板９を設けたものであり、従来のように両側板８，８間に設けた仕切板は一切存在しない構造である。また、前記上部棚５は、両側板１０，１０の上下中間位置に固定棚板１１を渡設し、両側板１０，１０の後端部間の上下に、それぞれ背板１２と幕板１３とを互いの間に隙間を設けて渡設し、更に固定棚板１１の上面には左右に複数の小仕切板１４，…を立設し且つその後縁を前記背板１２に固定したものである。更に、前記上部棚５の固定棚板１１の下面側には照明具１５を設けている。尚、本発明では前記上部棚５の構造は特に限定されるものではなく、また下部棚４と上部棚５とが一体化したもの、つまり下部棚４の側板８と上部棚５の側板１０とが一枚物であるものでも良いのである。
【００１４】
そして、下部棚４に上部棚５を載置し、両側部において上下に位置する側板８，１０同士を適宜な連結具にて互いに引き付け連結している。前記下部棚４の両側板８，８と背板９及び上部棚５の固定棚板１１とで内部空間１６が形成され、該内部空間１６内に前記本立６及び棚板７を左右組替え可能となして簡単に使用形態を変更することができるように配設している。
【００１５】
そこで、本発明は、正面視右側の側板８Ａと左側の側板８Ｂと背板９とで形成された内部空間１６内に本立６と棚板７を着脱自在に装着し、学習机２の天板３後部に載置する机上棚１であって、前記本立６は両側に配した両側面板１７，１７間の少なくとも上部に下縁１８Ａを開放した背面板１８を有し、棚本体（下部棚４）の背板９中央部に本立支持用の仕切板を設けることなく、本立６を装着する空間に対応する前記背板９と一方の側板８Ａ（又は８Ｂ）のうち、少なくとも背板９を含む内面位置に単又は複数の受具１９，…を着脱可能に突設し、前記背板８に取付けた受具１９で前記本立６の背面板下縁１８Ａを嵌合係止してなる
【００１６】
更に詳しくは、前記本立６は、載置板２０の両側に前記側面板１７，１７を設けるとともに、両側面板１７，１７の後部間に背面板１８を渡設し、また該載置板２０の下方に間隔を置いて補助棚板２１を渡設し、該補助棚板２１の両側下方へ側面板１７，１７を延長して形成した脚部１７Ａ，１７Ａ間には、引出し２２，２２を設けたものである。尚、前記載置板２０の上面に単又は複数の小仕切板を立設しても良い。また、前記棚板７は、通常の一枚板のものであるが、特に形状には限定されず、上面に仕切り用の逆Ｕ字状金具を着脱自在に立設することも可能である。
【００１７】
また、前記本立６は、単又は複数の前記受具１９によって簡単且つ着脱可能に机上棚１に取付ける。第１実施形態では、前記受具１９として、下部棚４の両側板８，８間の中央部側に本立６の一側部を支持する背部受具１９Ａと、一方の側板８に本立の側面板１７を支持するための側部受具１９Ｂを用いている。
【００１８】
前記背部受具１９Ａは、図４〜図６に示すように、前記下部棚４（棚本体）の背板９に取付けて本立６を係止することが可能なブロック状のものであり、全体の厚みが本立６の背面板１８の板厚と同程度の厚みを有し、上端に前記本立６の背面板下縁１８Ａを係止するための係止部２３を突設したものである。それに応じて、前記本立６の背面板下縁１８Ａには前記係止部２３を嵌合する嵌合溝２４を前縁側に形成している。更に詳しくは、前記背部受具１９Ａは、ブロック状の本体部２５の中央部に、通孔２６を前後貫通させて形成するとともに、背面の上下部にダボ２７，２７を突設し、また一側側に嵌合凸部２８を形成している。また、前記背板９の左右中央部には螺孔２９をオニメナットを背面から埋設することにより設け、更に該螺孔２９の上下に係合穴３０，３０を形成している。そして、前記ダボ２７，２７をに嵌入した状態で前面側からネジ３１を通孔２６を通して螺孔２９に螺合して固定する。尚、前記背部受具１９Ａは、上下対象形となし、即ち下端にも前記係止部２３と同形の爪状の係止部２３を形成している。
【００１９】
また、前記本立６の側面板１７の後端であって、前記背面板１８よりも若干下方位置に、前記背部受具１９Ａの嵌合凸部２８と同形ではあるが、上下長さが前記嵌合凸部２８の上下長さに前記係止部２３の突出長さを加えた加えた寸法よりも若干長い嵌合凹部３２を形成し、また前記嵌合溝２４は前記背面板下縁１８Ａの前側一部を切欠して形成している。従って、前記背部受具１９Ａの係止部２３に本立６の背面板下縁１８Ａの嵌合溝２４を嵌合するには、先ず前記嵌合凹部３２の下部寄りに前記嵌合凸部２８を位置させ、それから本立６を下方へ落とすことにより、嵌合溝２４を係止部２３に嵌合して係止するのである。この係止部２３と嵌合溝２４が嵌合した状態では、左右方向への移動も規制される。
【００２０】
また、前記本立６は、下部棚４の両側板８，８間の左右一側寄り位置に付け替える際に、前記背部受具１９Ａを同位置で上下反転させて取付ければ、本立６の中央寄り部を嵌合係止できるようなっている。そのため、前記螺孔２９及び係合穴３０，３０は、両側板８，８間の正確に左右中央に形成し、また本立６の横幅は両側板８，８間の間隔の１／２よりも側面板１７の板厚分だけ大きく設定している。つまり、前記背部受具１９Ａの嵌合凸部２８を除く部分が本立６の側面板１７の内側に位置するように設定している。
【００２１】
また、前記側部受具１９Ｂは、図４及び図６に示すように、前後方向に延びたブロック体であり、一側面の前後部に支持ダボ３３，３３を突設するとともに、両支持ダボ３３，３３の間にオニメナット３４を埋設し、更に上面の前後部に受ダボ３５，３５を突設したものである。そして、前記両側板８，８の内面側には、前記側部受具１９Ｂの支持ダボ３３，３３を嵌入する係合孔３６，３６と前記オニメナット３４に対応した位置に通孔３７を形成している。また、前記本立６の側面板１７，１７の下端部で前後中間部には、前記側部受具１９Ｂを嵌合する凹部３８を形成し、該凹部３８内下面に前記受ダボ３５，３５を嵌入する係合穴３９，３９を形成している。そして、前記側部受具１９Ｂの支持ダボ３３，３３を一方の側板８の係合孔３６，３６に嵌入した状態で、外側方から固定ネジ４０を通孔３７を通してオニメナット３４に螺合して固定し、上部から本立６の凹部３８を側部受具１９Ｂに落とし込むことによって、受ダボ３５，３５を係合穴３９，３９に嵌入して取付けるのである。
【００２２】
そして、前記本立６の中央部側の側面板１７と対面する下部棚４の側板８との間に棚板７を一対の支持具４１，４１によって着脱可能に取付けている。本実施形態では、前記支持具４１としては、金属棒を平面視略コ字形に屈曲して形成したもので、水平な支持棒４１Ａの両端に直角に係合棒４１Ｂ，４１Ｂを形成した形状の線ダボを用いている。そして、前記下部棚４の内部空間１６に面した両側板８，８の内面側と前記本立６の両側面板１７，１７の外面側に、それぞれ一対の係止孔４２，４２を略水平となるように前後に形成している。前述の各係止孔４２，４２には、前記支持具４１の両係合棒４１Ｂ，４１Ｂを着脱自在に嵌入し、支持棒４１Ａが側板８又は本立６の側面板１７の側面に沿って略水平に突設した状態で取付けられる。しかし、線ダボの代わりに、前記係止孔２５に嵌入又は螺入し得るピンダボを用いても良い。
【００２３】
また、前記棚板７の両側端面には、前記支持具４１支持棒４１Ａをスライド可能に受け入れる後方へ開放した支持溝４３，４３を形成している。
【００２４】
そして、図１及び図３に示すように、左側の側板８Ｂと本立６の左側の側面板１７の各係止孔４２，４２に支持具４１の係合部４１Ｂ，４１Ｂを嵌入して取付けるとともに、前記背部受具１９Ａを嵌合凸部２８を左側に向けた状態で前述の如く背板９に取付け、また側部受具１９Ｂを右側の側板８Ａに前述の如く取付ける。それから、本立６を側板８Ａと背板９とに接触させた状態で、前記嵌合凹部３２を背部受具１９Ａを嵌合凸部２８に嵌合した後、全体を下方へ落とせば背部受具１９Ａの係止部２３に本立６の嵌合溝２４が嵌合して係止すると同時に、側部受具１９Ｂが本立６の凹部３８に嵌合し且つ受ダボ３５，３５が係合穴３９，３９に嵌入して載支されるのである。
【００２５】
一方、左側の側板８Ｂと本立６の左側の側面板１７との間の空間に、前方から前記棚板７を挿入し、側板８Ｂと側面板１７に取付けた支持具４１，４１の支持棒４１Ａ，４１Ａを両側部の支持溝４３，４３に受け入れて係止し、背板９に当接するまでスライドさせて所定位置に装着するのである。ここで、前述のようにして机上棚１に取付けた本立６及び棚板７と前記天板３との間には空間が形成され、書類や書籍等を学習机２の天板３上に広げる場合に該空間を利用できるようになっている。ここで、前記本立６を取付けた側とは反対側の側板８Ｂには、コンセント及びスイッチ等を設けた操作ボックス４４を着脱可能に装着している。
【００２６】
また、図２は、両側板８，８間の左側寄りに本立６を装着し、右側の側板８Ａと本立６の右側の側面板１７との間に棚板７を装着した他の使用形態である。その他の構成は、前記同様であるので、同一構成には同一符号を付してその説明は省略する。
【００２７】
また、図１又は図２の状態から、棚板７を前方へ引き出して外し、該棚板７を支持していた二つの支持具４１，４１を取外して、本立６と一方の側板８との間に、パーソナルコンピュータ等の電子機器Ｅを設置するスペースを机上棚１に確保した使用態様を実現することも可能である。更に、前記本立６を机上棚１から外して学習机２の天板３の上面に載置し、独立した本立として使用することも可能である。
【００２８】
次に、本発明の第２実施形態に係る机上棚１を図７及び図８に基づいて説明する。本実施形態では、前記本立６は、その横幅を前記下部棚４（棚本体）の両側板８，８間の間隔の１／２に側面板１７の板厚を加えた幅より大きく設定し、下部棚４の背板９の左右中央部又は左右中央部と一側部に取付けた背部受具１９Ｃ，１９Ｃの前記係止部２３，２３を、前記背面板１８の側部にのみ形成した前記嵌合溝２４，２４に嵌合して係止してなる構造のものである。ここで、前記背部受具１９Ｃは、図８に示すように、単純な直方体状の本体部の上端前縁側に前記係止部２３を形成するとともに、上部寄りに前後貫通した通孔２６を形成するとともに、背面の下部にダボ２７を突設したものであり、それに応じて前記下部棚４の背板９には螺孔２９と係合穴３０を形成したのである。尚、本立６の側部側は、前記側部受具１９Ｂで前述のように載支しても良いが、当該背部受具１９Ｃと同じものを、背板９の側部に取付けて、両背部受具１９Ｃ，１９Ｃで本立６の背面板下縁１８Ａの両側の嵌合溝２４，２４を嵌合して支持することでも良い。尚、本立６を左右付け替える際に、中央部に取付けた背部受具１９Ｃは、付け替える必要なくそのまま使用できる。
【００２９】
最後に、本発明の第３実施形態に係る机上棚１を図９及び図１０に基づいて説明する。本実施形態の背部受具１９Ｄは、前記本立６の両側面板１７，１７の間隔よりも若干横幅を小さく設定した長尺部材で、下部棚４（棚本体）の背板９の一側部に取付け、前記本立６は、背面板１８の下縁１８Ａの全長に亘って形成した嵌合溝２４に当該背部受具１９Ｄの全長に亘って形成した係止部２３を嵌合して係止してなる構造のものである。即ち、前記背部受具１９Ｄは、横長の長尺板部材であり、上端前縁よりの全長に亘ってレール上の係止部２３を形成するとともに、両側部にそれぞれ前後貫通した通孔２６を形成し且つ背面の下部にダボ２７を突設したものであり、それに応じて前記下部棚４の背板９には左右両側に二対の螺孔２９と係合穴３０を形成したのである。この場合、一つの背部受具１９Ｄで本立６を嵌合係止することが可能である。
【００３０】
以上示した本発明は、下部棚４と上部棚５が分離可能な本実施形態の上下分離型机上棚１は勿論、下部棚４の側板８と上部棚５の側板１０が一枚物の側板である上下部一体の机上棚や下部棚４のみの場合であっても同様に実現できるものである。
【００３１】
【発明の効果】
以上にしてなる請求項１に係る発明の学習机の机上棚は、両側板と背板とで形成された棚本体の内部空間内に本立と棚板を着脱自在に装着し、学習机の天板後部に載置する机上棚であって、前記本立は両側に配した両側面板間の少なくとも上部に下縁を開放した背面板を有し、棚本体の背板中央部に本立支持用の仕切板を設けることなく、本立を装着する空間に対応する前記背板と一方の側板のうち、少なくとも背板を含む内面位置に単又は複数の受具を着脱可能に突設し、前記背板に取付けた受具で前記本立の背面板下縁を嵌合係止してなるなるので、両側板と背板で形成された内部空間に本立や棚板を配設し且つ左右組替え可能となして簡単に使用形態を変更することができ、その上、中央部での板材の重なりが全く無くなって、外観性の向上を図ることができるとともに、収納空間を仕切板の板厚に相当する空間分だけ拡張することができ、更に使用目的に応じて本立と棚板を左右に組み替えて使用形態を簡単に変更することができる。
【００３２】
また、請求項２によれば、背部受具の係止部に単に本立の背面板下縁の嵌合溝を落とし込むだけで、本立を簡単且つガタツキ無く所定位置に取付けることができる。
【００３３】
また、請求項３によれば、本立の横方向移動を規制した状態で強固に取付けることができる。
【００３４】
また、請求項４によれば、本立を左右付け替える際に、中央部に取付けた受具を付け替える必要なくそのまま使用して本立を支持することができるので、付け替え作業が容易である。
【００３５】
また、請求項５によれば、一つの受具で本立を支持することができるので、部品点数が少なく本立の付け替え作業も極めて簡単になるばかりでなく、本立を横幅の略全長で支持するので支持強度も高くなる。
【図面の簡単な説明】
【図１】本発明の学習机の机上棚の第１実施形態における代表的な使用形態を示す斜視図である。
【図２】図１の状態から本立と棚板を逆に付け替えた使用形態を示す斜視図である。
【図３】本発明に係る机上棚の分解斜視図である。
【図４】同じく部分拡大分解斜視図である。
【図５】第１実施形態に用いた背部受具の斜視図である。
【図６】本立を棚本体に取付けた状態の部分断面図である。
【図７】本発明の第２実施形態を示す机上棚の正面図である。
【図８】第２実施形態に用いた背部受具の斜視図である。
【図９】本発明の第３実施形態を示す机上棚の正面図である。
【図１０】第３実施形態に用いた背部受具の斜視図である。
【符号の説明】
１  机上棚              ２  学習机
３  天板                ４  下部棚
５  上部棚              ６  本立
７  棚板                ８  側板
９  背板                １０  側板
１１固定棚板            １２背板
１３  幕板              １４  小仕切板
１５  照明具            １６  内部空間
１７  側面板            １８  背面板
１８Ａ  下縁            １９  受具
１９Ａ  背部受具        １９Ｂ  側部受具
１９Ｃ  背部受具        １９Ｄ  背部受具
２０  載置板            ２１  補助棚板
２３  係止部            ２４  嵌合溝
２５  本体部            ２６  通孔
２７  ダボ              ２８  嵌合凸部
２９  螺孔              ３０  係合穴
３１  ネジ              ３２  嵌合凹部
３３  支持ダボ          ３４  オニメナット
３５  受ダボ            ３６  係合孔
３７  通孔              ３８  凹部
３９  係合穴            ４０  固定ネジ
４１  支持具            ４２  係止孔
４３  支持溝            ４４  操作ボックス
【図１】
0003562428.tif 000002
【図２】
0003562428.tif 000003
【図３】
0003562428.tif 000004
【図４】
0003562428.tif 000005
【図５】
0003562428.tif 000006
【図６】
0003562428.tif 000007
【図７】
0003562428.tif 000008
【図８】
0003562428.tif 000009
【図９】
0003562428.tif 000010
【図１０】
0003562428.tif 000011